(57)【要約】【課題】被施工面にタイルとともに塗り仕上げ材を簡易かつ優れた意匠性の下で施工することができるようにする。【解決手段】下地材４１、４２に複数枚の金属サンドイッチパネル１０を平面状に固定して垂直な被施工面を形成し、被施工面にタイル２０及び塗り仕上げ材３０を施して壁面を施工する壁面の施工方法である。塗り仕上げ材３０には被施工面にタイル２０を接着させる接着成分が含まれている。【選択図】図３
2005220621.tif 000002
【特許請求の範囲】
【請求項１】
下地材に複数枚の板状建材を平面状に固定して垂直な被施工面を形成し、該被施工面に意匠材を施して壁面を施工する壁面の施工方法において、
前記意匠材としてタイル及び塗り仕上げ材を採用し、
該塗り仕上げ材には前記被施工面に該タイルを接着可能な接着成分が含まれていることを特徴とする壁面の施工方法。
【請求項２】
前記板状建材の表面及び裏面の少なくとも一方には、各前記タイルの裏面に形成された凹部内に収容され得るとともに、前記塗り仕上げ材によって隠蔽可能な高さで突出する複数の凸部が形成されていることを特徴とする請求項１記載の壁面の施工方法。
【請求項３】
下地材に固定されて垂直な被施工面を形成し、該被施工面に意匠材を施して壁面を施工するための板状建材であって、
表面及び裏面の少なくとも一方には、各タイルの裏面に形成された凹部内に収容され得るとともに、塗り仕上げ材によって隠蔽可能な同一高さで突出する複数の凸部が形成されていることを特徴とする板状建材。
【請求項４】
各前記凸部の縁は面取りされていることを特徴とする請求項３記載の板状建材。
【請求項５】
各前記凸部の高さは１．５ｍｍ以下である請求項３又は４記載の板状建材。
【請求項６】
各前記凸部は垂直方向又は水平方向に延びていることを特徴とする請求項３乃至５のいずれか１項記載の板状建材。
【請求項７】
表面を構成する金属製の第１板材と、裏面を構成する金属製の第２板材と、該第１板材と該第２板材との間に一体に設けられた断熱材とを有している請求項３乃至６のいずれか１項記載の板状建材。
【発明の詳細な説明】
【技術分野】
【０００１】
本発明は壁面の施工方法及び板状建材に関する。
【背景技術】
【０００２】
一般的な壁面の施工方法として、下地材に複数枚の板状建材を平面状に固定して垂直な被施工面を形成し、この被施工面に接着剤を介してタイルを施して壁面を施工する方法が知られている。
【０００３】
例えば、特許文献１開示の施工方法では、下地材としての木材からなる支柱に板状建材としてのサイディングを平面状に固定する。そして、金属板からなる係止板を用意し、被施工面にこの係止板をビス等によって固定し、垂直な被施工面を形成する。係止板には、タイルの裏面に形成された凹部と嵌合可能な突起部が形成されている。この後、係止板の表面とタイルの裏面との間に接着剤を設けながら、係止板の突起部にタイルの凹部を嵌める。こうして、被施工面には接着剤を介してタイルが施工され、これによって壁面が簡易に構成されることとなる。特に、この施工方法では、タイルが係止板の突起部によって支えられることから、タイルが自重によってずれず、意匠性のより優れた壁面を構成することができる。
【０００４】
【特許文献１】特開２００２−３４９０４４号公報
【発明の開示】
【発明が解決しようとする課題】
【０００５】
しかし、上記特許文献１開示の施工方法では、被施工面にタイルのみを意匠材として施しており、壁面の意匠性が未だ十分でない。同一の被施工面の一領域にタイルを施しつつ、他の領域には意匠材としての塗り仕上げ材も施すことにより、さらに優れた意匠を呈する壁面が望まれるのである。
【０００６】
そして、同一の被施工面に単にタイルとともに塗り仕上げ材を施工しようとする場合、通常、タイルを接着する接着剤と塗り仕上げ材とが異なり、かつ塗り仕上げ材には被施工面にタイルを接着可能な接着成分が含まれていないことから、タイルを施す領域と塗り仕上げ材を施す領域との境界やタイル間の目地が目立つこととなってしまう。優れた意匠を実現するためには、これらの境界や目地を別の手段によって隠蔽する必要が生じ、作業性が悪化してしまう。
【０００７】
特に、特許文献１開示の施工方法を採用しつつタイルとともに塗り仕上げ材を施工しようとする場合、特許文献１開示の施工方法では、係止板の突起部が高く表面側に突出していることから、塗り仕上げ材の表面が各突起部によって凹凸を有するものとなったり、その凹凸を隠蔽するために塗り仕上げ材を極めて厚く施す必要があったりし、意匠性と作業性との両立が困難となる。この不具合を解決するため、タイルを施す領域には係止板を設ける一方、塗り仕上げ材を施す領域には係止板を設けないようにしても、作業性が十分でないとともに、タイルを施す領域と塗り仕上げ材を施す領域とが係止板の大きさによって制限され、やはり優れた意匠性の実現が困難である。
【０００８】
本発明は、上記従来の実情に鑑みてなされたものであって、被施工面にタイルとともに塗り仕上げ材を簡易かつ優れた意匠性の下で施工することができるようにすることを解決すべき課題としている。
【課題を解決するための手段】
【０００９】
本発明の壁面の施工方法は、下地材に複数枚の板状建材を平面状に固定して垂直な被施工面を形成し、該被施工面に意匠材を施して壁面を施工する壁面の施工方法において、
前記意匠材としてタイル及び塗り仕上げ材を採用し、
該塗り仕上げ材には前記被施工面に該タイルを接着させる接着成分が含まれていることを特徴とする。
【００１０】
本発明の施工方法では、意匠材としてタイル及び塗り仕上げ材を採用していることから、被施工面にはタイル及び塗り仕上げ材が施されて壁面が構成されることとなる。また、塗り仕上げ材が接着成分を含んでいることから、塗り仕上げ材によってタイルを被施工面に接着することができる。
【００１１】
こうして、同一の被施工面の一領域にタイルを施しつつ、他の領域には塗り仕上げ材も施すことができる。また、同一の被施工面において、タイルを施す領域と塗り仕上げ材を施す領域との境界が塗り仕上げ材によってそのまま優れた意匠を呈し、タイル間の目地から露出する部分も塗り仕上げ材によってそのまま優れた意匠を呈することとなり、これらの境界や目地を別の手段によって隠蔽する必要がなく、作業性が向上する。また、タイルを施す領域と塗り仕上げ材を施す領域とが制限されず、得られる壁面は優れた意匠を呈することができる。
【００１２】
したがって、本発明の施工方法によれば、被施工面にタイルとともに塗り仕上げ材を簡易かつ優れた意匠性の下で施工することができる。
【００１３】
板状建材の表面及び裏面の少なくとも一方には、各タイルの裏面に形成された凹部内に収容され得るとともに、塗り仕上げ材によって隠蔽可能な高さで突出する複数の凸部が形成されていることが好ましい。この場合、板状建材の表面及び裏面の少なくとも一方に形成された複数の凸部は、タイルを施す領域では、各タイルの裏面に形成された凹部内に収容され、塗り仕上げ材を施す領域では、塗り仕上げ材によって隠蔽されることとなる。各タイルは、各凸部との間で大きな面積により接着され、自重によってずれなくされる。また、被施工面に塗り仕上げ材を厚く施す必要もなく、作業性の点で優れる。
【００１４】
本発明の板状建材は、下地材に固定されて垂直な被施工面を形成し、該被施工面に意匠材を施して壁面を施工するための板状建材であって、
表面及び裏面の少なくとも一方には、各タイルの裏面に形成された凹部内に収容され得るとともに、塗り仕上げ材によって隠蔽可能な同一高さで突出する複数の凸部が形成されていることを特徴とする。
【００１５】
本発明の板状建材を用いれば、本発明の施工方法を実現することができる。この板状建材は、表面及び裏面に凸部が形成されていてもよく、表面又は裏面に凸部が形成されていてもよい。
【００１６】
各凸部の縁は面取りされていることが好ましい。この場合、塗り仕上げ材を均一の厚さに塗布しやすいため、塗り仕上げ材の面性状が平坦になりやすく、きれいな壁面を容易に施工できる。
【００１７】
各凸部の高さは１．５ｍｍ以下であることが好ましい。発明者の試験結果によれば、この範囲内の高さの凸部であれば、素人でも塗り仕上げ材をほぼ均一の厚さに塗布することができる。また、塗布された塗り仕上げ材は各凸部によって下方へのタレが制限される。このため、塗り仕上げ材の面性状が平坦になりやすく、きれいな壁面を容易に施工できる。
【００１８】
各凸部は垂直方向又は水平方向に延びていることが好ましい。この場合、各凸部がガイドとなってタイルの垂直出し又は水平出しが不要になり、施工がより簡易になる。
【００１９】
本発明の板状建材は、表面を構成する金属製の第１板材と、裏面を構成する金属製の第２板材と、第１板材と第２板材との間に一体に設けられた断熱材とを有し得る。この板状建材を用いれば、外断熱が可能な壁面を容易に施工することができる。
【発明を実施するための最良の形態】
【００２０】
以下、本発明を具体化した実施例１、２を図面を参照しつつ説明する。
【実施例１】
【００２１】
まず、図１及び図２に示す板状建材としての金属サンドイッチパネル１０を用意する。この金属サンドイッチパネル１０は、表面を構成する金属製の第１板材１１と、裏面を構成する金属製の第２板材１２と、第１板材１１と第２板材１２との間に一体に設けられた発泡ポリウレタンフォームからなる断熱材１３とを有している。
【００２２】
第１板材１１には、高さｔが１．５ｍｍ以下であることにより、各タイル２０の裏面に形成された凹部２０ａ内に収容され得るとともに、塗り仕上げ材３０によって隠蔽可能な同一高さで突出する複数の凸部１１ａが形成されている。各凸部１１ａは、図３に示すように、水平方向に延びている。また、図１に示すように、各凸部１１ａの上面１１ｂは水平に突出され、各凸部１１ａの下面１１ｃは上方に傾斜しながら突出されており、各凸部１１ａの上下の縁には面取り１１ｄが形成されている。
【００２３】
図２に示すように、金属サンドイッチパネル１０の上端には挿入部１０ａが形成され、その下端には挿入部１０ａに挿入され得る被挿入部１０ｂが形成されている。挿入部１０ａは、第１、２板材１１、１２の上端が断熱材１３側に直角に屈曲された後で上方に延び、さらに折り返されて下方に屈曲されたものである。挿入部１０ａの先端面にはゴムパッキン１０ｃが設けられている。被挿入部１０ｂは、第１、２板材１１、１２の下端が断熱材１３側に折り返されて上方に屈曲され、さらに直角に屈曲された後で上方に屈曲されたものである。被挿入部１０ｂの内面上端にもゴムパッキン１０ｄが設けられている。
【００２４】
この金属サンドイッチパネル１０を用いてタイル２０及び塗り仕上げ材３０からなる壁面を施工する場合、まず、図３に示すように、下地材としての木材からなる支柱４１、４２に透湿防水シート４３を介して図示しないビスにより複数枚の金属サンドイッチパネル１０を平面状に固定し、金属サンドイッチパネル１０の表面からなる垂直な被施工面を形成する。この際、図２にも示すように、下段から上段へと金属サンドイッチパネル１０を順次積み上げ、下段の金属サンドイッチパネル１０の挿入部１０ａが上段の金属サンドイッチパネル１０の被挿入部１０ｂに挿入するようにする。
【００２５】
そして、図３に示すように、被施工面全体に塗り仕上げ材３０を塗布する。この塗り仕上げ材３０は主成分が変性シリコーン又はウレタンの接着剤からなるものである。これらは一液タイプのものであっても、二液タイプのものであってもよい。また、塗り仕上げ材３０には、繊維が混入されていてもよい。塗り仕上げ材３０に繊維が混入されていると、塗り仕上げ材３０としての意匠性を高めることができるとともに、以下に述べるように塗り仕上げ材３０をタイル２０の被施工面への接着剤として用いた場合、繊維がアンカーの役目を果たすことにより接着力を増すことができる。繊維としては、ナイロン、ビニロン、ポリエステル等を選ぶことができる。
【００２６】
この際、まずは各凸部１１ａと同一厚さまで塗り仕上げ材３０を塗布する。この間、図１に示すように、各凸部１１ａが塗り仕上げ材３０によって隠蔽可能な同一高さで突出していることから、素人でも塗り仕上げ材３０をほぼ均一の厚さに塗布することができる。特に、金属サンドイッチパネル１０の各凸部１１ａの縁には面取り１１ｄが形成されているため、この効果が顕著である。また、塗布された塗り仕上げ材３０は各凸部１１ａによって下方へのタレが制限される。このため、塗り仕上げ材３０の面性状が平坦になる。
【００２７】
この後、被施工面の下方の領域にはタイル２０を施工する。この際、塗り仕上げ材３０が接着成分を含んでいることから、塗り仕上げ材３０によってタイル２０を被施工面に接着することができる。また、各凸部１１ａは水平方向に延びているため、各凸部１１ａがガイドとなってタイル２０の水平出しが不要であり、施工がより簡易になっている。これにより、各凸部１１ａは各タイル２０の裏面に形成された凹部２０ａ内に収容される。そして、各タイル２０は、各凸部１１ａとの間で大きな面積により接着され、自重によってずれなくされる。
【００２８】
特に、塗り仕上げ材３０は主成分が変性シリコーン又はウレタンの接着剤であることから、塗り仕上げ材３０が弾性を有するとともに、高い耐水性及び耐候性を発揮する。弾性を有する塗り仕上げ材３０は、地震等で被施工面が変形したとしても、それを吸収することができる。特に、下地材である金属サンドイッチパネル１０の板間にこの種の塗り仕上げ材３０を用いた場合には（図３のハッチング参照）、ひび割れ、剥離を起こし難くなる。また、一液タイプの塗り仕上げ材３０は施工が楽であるというメリットも発揮する。
【００２９】
また、被施工面の上方の領域にはさらに塗り仕上げ材３０を施工する。
【００３０】
こうして、同一の被施工面の下方の領域にタイル２０を施しつつ、上方の領域に塗り仕上げ材３０も施すことができる。この際、被施工面に塗り仕上げ材３０を厚く施す必要がなく、作業性の点で優れる。また、同一の被施工面において、タイル２０を施す領域と塗り仕上げ材３０を施す領域との境界が塗り仕上げ材３０によってそのまま優れた意匠を呈し、タイル２０間の目地から露出する部分も塗り仕上げ材３０によってそのまま優れた意匠を呈することとなり、これらの境界や目地を別の手段によって隠蔽する必要がなく、作業性が向上する。また、タイル２０を施す領域と塗り仕上げ材３０を施す領域とが制限されず、得られる壁面は優れた意匠を呈することができる。
【００３１】
したがって、この施工方法によれば、被施工面にタイル２０とともに塗り仕上げ材３０を簡易かつ優れた意匠性の下で施工することができる。
【００３２】
特に、この施工方法では、断熱材１３を有する金属サンドイッチパネル１０を用いていることから、得られた壁面が優れた外断熱効果を発揮することができる。
【実施例２】
【００３３】
実施例２では、図４に示す金属サンドイッチパネル６０を用いている。この金属サンドイッチパネル６０の凸部１１ｅには、実施例１のような面取りが形成されていない。他の構成は実施例１と同様である。
【００３４】
この金属サンドイッチパネル６０を用いてタイル２０及び塗り仕上げ材３０からなる壁面を施工する場合、実施例１よりも塗り仕上げ材３０をやや塗り難いが、ほぼ同様の作用効果を奏することができる。
【産業上の利用可能性】
【００３５】
本発明は外壁の施工方法に利用可能である。
【図面の簡単な説明】
【００３６】
【図１】実施例１に係り、壁面の部分拡大断面図である。
【図２】実施例１に係り、壁面の断面図である。
【図３】実施例１に係り、壁面の一部破断斜視図である。
【図４】実施例２に係り、壁面の部分拡大断面図である。
【符号の説明】
【００３７】
４１、４２…下地材
１０、６０…板状建材（金属サンドイッチパネル）
２０、３０…意匠材（２０…タイル、３０…塗り仕上げ材）
２０ａ…凹部
１１ａ…凸部
１１ｄ…面取り
１１…第１板材
１２…第２板材
１３…断熱材
【図１】
2005220621.tif 000003
【図２】
2005220621.tif 000004
【図３】
2005220621.tif 000005
【図４】
2005220621.tif 000006